(57)【要約】【課題】  開口枠のコーナー部において、雨水の浸入や光漏れを確実に防止できるとともに、部品点数を減らして製品管理や施工を容易にすることができるドアを提供する。【解決手段】  建物の開口部に取り付けられる開口枠と、開口枠に開閉自在に取り付けられる障子とを備え、開口枠を構成する縦枠及び横枠にはそれぞれ障子の開放方向に向けて開口する縦タイト材ホルダと横タイト材ホルダが見込み方向に位置を異ならせて形成されるとともに、両タイト材ホルダは開口枠のコーナー部において見込み方向に重複しており、両タイト材ホルダには障子に当接する当接面が面一となるようにタイト材が装着され、両タイト材ホルダのうち見込み方向の反開放方向側に形成されたタイト材ホルダに装着されるタイト材は、見込み方向の開放方向側に設けられるタイト材及びタイト材ホルダに対応する部分が切除され、切除された部分に開放方向側に設けられるタイト材及びタイト材ホルダを飲み込ませて連続させてなる。【選択図】  図３
2015203237.tif 000002
【特許請求の範囲】
【請求項１】
建物の開口部に取り付けられる開口枠と、開口枠に開閉自在に取り付けられる障子とを備え、
開口枠を構成する縦枠及び横枠にはそれぞれ障子の開放方向に向けて開口する縦タイト材ホルダと横タイト材ホルダが見込み方向に位置を異ならせて形成されるとともに、両タイト材ホルダは開口枠のコーナー部において見込み方向に重複しており、
両タイト材ホルダには障子に当接する当接面が面一となるようにタイト材が装着され、両タイト材ホルダのうち見込み方向の反開放方向側に形成されたタイト材ホルダに装着されるタイト材は、見込み方向の開放方向側に設けられるタイト材及びタイト材ホルダに対応する部分が切除され、切除された部分に開放方向側に設けられるタイト材及びタイト材ホルダを飲み込ませて連続させてなる
ことを特徴とする建具。
【発明の詳細な説明】
【技術分野】
【０００１】
本発明は、建物の開口枠に開閉自在に支持される建具に関する。
【背景技術】
【０００２】
開口枠とドア本体との間からの雨水の浸入や光漏れ等を防止するためのタイト材を肉厚のタイト材とすることにより、障子の開閉時の指挟みによる怪我を防止するドアが知られており、そのようなドアでは、縦枠に設けられたタイト材と横枠に設けられたタイト材とを開口枠のコーナー部に配置したコーナー部品によって連続させていた。
【先行技術文献】
【特許文献】
【０００３】
【特許文献１】特開２０１２−１５４１４７号公報
【発明の概要】
【発明が解決しようとする課題】
【０００４】
このようなドアでは、コーナー部において、肉厚の縦タイト材と横タイト材とを連続させることができるので、雨水の浸入や光漏れを防止できることができるが、タイト材のほかにコーナー部品が必要となるので、部品点数が多くなり製品管理等や施工が煩雑になることがあった。
【０００５】
本発明は、上記事情を鑑みたものであり、開口枠のコーナー部において、雨水の浸入や光漏れを確実に防止できるとともに、部品点数を減らして製品管理や施工を容易にすることができる建具を提供することを目的とする。
【課題を解決するための手段】
【０００６】
本発明は、建物の開口部に取り付けられる開口枠と、開口枠に開閉自在に取り付けられる障子とを備え、開口枠を構成する縦枠及び横枠にはそれぞれ障子の開放方向に向けて開口する縦タイト材ホルダと横タイト材ホルダが見込み方向に位置を異ならせて形成されるとともに、両タイト材ホルダは開口枠のコーナー部において見込み方向に重複しており、両タイト材ホルダには障子に当接する当接面が面一となるようにタイト材が装着され、両タイト材ホルダのうち見込み方向の反開放方向側に形成されたタイト材ホルダに装着されるタイト材は、見込み方向の開放方向側に設けられるタイト材及びタイト材ホルダに対応する部分が切除され、切除された部分に開放方向側に設けられるタイト材及びタイト材ホルダを飲み込ませて連続させてなることを特徴とする。
【発明の効果】
【０００７】
本発明によれば、部品点数を増やすことなく、縦枠のタイト材と横枠（上枠もしくは下枠）のタイト材とを連続されることができ、製品管理や施工を容易にすることができる。
【図面の簡単な説明】
【０００８】
【図１】本発明の実施形態に係るドアの全体斜視図である。
【図２】本発明の実施形態に係るドアの横断面図である。
【図３】本発明の実施形態に係るドアの要部の拡大図であり、図１のＡに示す部分の開口枠を示す図である。
【図４】本発明の実施形態に係るドアの要部の部品拡大図であり、図３に示す開口枠の縦枠と上枠を示す図である。
【図５】本発明の実施形態に係るドアの縦枠と上枠の横断面図である。
【図６】本発明の実施形態に係るドアの要部の縦断面図である。
【発明を実施するための形態】
【０００９】
（全体の構成）
本発明を、図１に示す実施形態のドアを用いて説明する。本発明の実施形態のドアは、左右の縦枠１３，１４に横枠（上枠１１及び下枠１２）を突き合わせて固定してなる開口枠１に対して、上下框２１，２２及び左右縦框２３，２４とを四周に組んでその内周にパネル２５が嵌め込まれてなるドア本体（障子）２を、丁番により開閉自在に支持して構成されている。
【００１０】
（ドア本体の構成）
図２に示すように、ドア本体２の吊元側縦框２４の外周面には、丁番３を構成する羽板３２，３３の一方の羽板３３がネジ等により固定されており、固定された羽板３３の室内側には上下に連続する外側縦タイト材６４が配置されている。
【００１１】
一方、ドア本体２の戸先側縦框２３の室外側には略Ｌ字状の戸先側覆部２３１が延設されるとともに、戸先側覆部２３１の内面には外側縦タイト材６３が上下方向に亘って配置されており、ドア本体２と開口枠１との戸先側の気密を行っている。
【００１２】
（開口枠の構成）
図３，図４，図５（ａ）に示すように、開口枠１の上枠１１は、上壁１１１と、上壁１１１の室内側端部より外周方向へ延設される室内壁１１２と、同じく室外側端部より外周方向へ延設される室外壁１１３とから構成され、上壁１１１はその室外側を構成する室外側上壁１１１ｂと、室外側上壁１１１ｂの室内側に連続して内周方向に段状に形成される室内側上壁１１１ａとからなっている。
【００１３】
開口枠１の上枠１１の室内側上壁１１１ａには、内側上タイト材５１を保持する内側上タイト材ホルダ（横タイト材ホルダ）１１４が内周方向へ向かって突設されており、内側上タイト材ホルダ（横タイト材ホルダ）１１４の内周端部には室外側（開放方向）に向かって開口する溝状の係合溝１１４ａが形成されている。図５（ａ）に示すように、上枠（横枠）１１の内側上タイト材ホルダ（横タイト材ホルダ）１１４に装着される内側上タイト材５１は、係合溝１１４ａに係合する固定部５１ａと、固定部５１ａの一側より他側に向けて斜めに突出する舌状部５１ｂとからなり、一側を下方にして上枠１１の係合溝１１４ａに装着されている。
【００１４】
そして、内側上タイト材５１を保持した状態で内側上タイト材ホルダ１１４の左右方向両端部近傍をかしめることにより、内側上タイト材５１の左右方向への移動や伸び縮みをより規制することができる。
また、上枠１１の室外壁１１３の下方に連続して外側上タイト材を保持する外側上タイト材ホルダ（横タイト材ホルダ）１１５が延設されている。
【００１５】
一方、図２〜４，図５（ｂ）に示すように、建物の開口枠１の縦枠１３，１４は、開口部の内周面を覆う内周壁１３１，１４１と、内周壁１３１，１４１の室内側端部より外周方向へ設けられ室内壁１３２，１４２と、内周壁１３１，１４１の室外側端部より外周方向へ設けられる室外壁１３３，１４３とから構成され、吊元側の縦枠１４の内周壁１４１には、丁番３を構成する他方の羽板３２がネジ等により固定されており、ドア本体２を揺動自在に支持している。
【００１６】
縦枠１３，１４の内周壁１３１，１４１には、その室内側より、内側縦タイト材５３，５４を保持する内側縦タイト材ホルダ１３４、１４４が内周方向へ向かって突設されており、内側縦タイト材ホルダ１３４，１４４の内周端部には室外側（開放方向）に向かって開口する溝状の係合溝１３４ａ，１４４ａが形成されている。また、縦枠１３，１４の内周壁１３１，１４１には、室内側壁１３５ａ，１４５ａと室外側壁１３５ｂ、１４５ｂとよりなる熱膨張材係止溝１３５，１４５が形成されており、必要に応じて、熱膨張材を挿入して、耐火ドアとして構成することができる。
【００１７】
図５（ｂ）に示すように、戸先側縦枠１３の内側縦タイト材ホルダ１３４に装着される内側縦タイト材５３は、係合溝１３４ａに係合する固定部５３ａと、固定部５３ａに連続する中空部５３ｂと、中空部５３ｂより２片の舌片が突設する舌状部５３ｃとにより、中空部５３ｂを有する肉厚状に構成されており、障子の開閉時の指挟みによる怪我を防止している。なお、吊元側縦枠１４の内側縦タイト材ホルダ１４４に装着される内側縦タイト材５４についても、その構成は同様である。
そして、内側縦タイト材５３，５４を保持した状態で内側縦タイト材ホルダ１３４、１４４の上下方向両端部近傍をかしめることにより、内側縦タイト材５３，５４の上下方向への移動や伸び縮みをより規制することができる。
【００１８】
このように、内側縦タイト材５３，５４は障子の開閉時の指挟みによる怪我を防止するために、内側上タイト材５１に比べて肉厚に形成されているが、開口枠１とドア本体２との間の気密を行うためには、ドア本体２の閉鎖状態において、内側縦タイト材５３，５４と内側上タイト材５１のドア本体２への当接気密位置は見込み方向で略同一とすることが好ましい。
【００１９】
そのために、この実施形態のドアにおいては、内側縦タイト材ホルダ１３４，１４４を内側上タイト材ホルダ（横タイト材ホルダ）１１４に対して見込み方向で室内側（反開放方向側）にずらせて形成されている。
【００２０】
（タイト材の連結構造）
本発明の実施形態のドアにおいては、縦枠１３，１４に対して上枠１１の端部を突き合わせて固定するために、上枠１１の両側端面の形状に合わせて内側縦タイト材ホルダ１３４、１４４及び熱膨張材係止溝１３５，１４５が切除されている。
【００２１】
そして、内側縦タイト材ホルダ１３４，１４４と内側上タイト材ホルダ（横タイト材ホルダ）１１４とが、見込み方向で位置を異ならせて配置されているので、縦枠１３（１４）と上枠１１との突き合わせ状態において両タイト材ホルダが干渉せず、上枠１１の内側上タイト材ホルダ（横タイト材ホルダ）１１４の端面が縦枠１３（１４）の内周壁１３１（１４１）に当接するともに、縦枠１３（１４）の内側縦タイト材ホルダ１３４（１４４）の端面が上枠１１の室内側上壁１１１ａに当接している。
【００２２】
そして、肉厚状の内側縦タイト材５３と内側上タイト材５１とを、ドア本体２に対する当接面が略面一となるように連続させるために、内側縦タイト材５３の上端部について、内側縦タイト材５３より室外側（開放方向側）に配置されている内側上タイト材ホルダ（横タイト材ホルダ）１１４及び内側上タイト材５１に相当する部分に切除部ａを形成して、切除部ａに内側上タイト材ホルダ（横タイト材ホルダ）１１４及び内側上タイト材５１を飲み込ませている。
【００２３】
これにより、内側縦タイト材ホルダ１３４，１４４と内側上タイト材ホルダ（横タイト材ホルダ）１１４とが、開口枠１の隅部において見込み方向で重複し、内側縦タイト材５３（５４）と内側上タイト材５１とが直接当接している。
【００２４】
−本発明の実施形態による作用・効果−
以上のように、本発明の実施形態のドアは、開口枠１を構成する縦枠１３，１４の内側縦タイト材ホルダ１３４，１４４と内側上タイト材ホルダ（横タイト材ホルダ）１１４との見込み方向位置を異ならせているので、内側縦タイト材として肉厚状のタイト材を装着しながら内側上タイト材と面一に配置できるとともに、縦枠１３，１４と上枠１１の突き当たり部において、タイト材ホルダ同士が干渉することなく、干渉をさけるために何れかのタイト材ホルダを切欠く加工等が不要となる。
【００２５】
また、枠の全長に亘ってタイト材を配置することができ、コーナー部において、タイト材同士が重複して配置され、かつ、直接当接して連続させることができるので、コーナー部にブロック部品等を設けることなく四周に亘って良好な気密を行うことができる。さらに、内側上タイト材ホルダ１１４の端部は、内側縦タイト材５３，５４の切除部ａに飲み込まれ、内側縦タイト材ホルダ１３４，１４４によって室内側からは完全に隠されているので、内側上タイト材５１や内側上タイト材ホルダ１１４が伸び縮みして縦枠内周面から離間した場合でも、室内側からは隙間が見えず、光漏れを防止することができる。
【００２６】
なお、本発明に実施形態においては、ドアの上部コーナー部について説明したが、本発明が対象とする建具は、ドアに限るものではなく、またその位置も上部コーナー部に限るものではない。さらに、切除部を設けるタイト材は縦タイト材に限るものではなく、横タイト材に切除部を設けて縦タイト材ホルダ及び縦タイト材を飲み込ませるように構成しても良い。
【符号の説明】
【００２７】
１  開口枠
１１  上枠
１１１  上壁
１１１ａ  室内側上壁
１１１ｂ  室外側上壁
１１２    室内壁
１１３    室外壁
１１４    内側上タイト材ホルダ（横タイト材ホルダ）
１１４ａ  係合溝
１１５    外側上タイト材ホルダ（横タイト材ホルダ）
１２  下枠
１３  縦枠
１３１    内周壁
１３２    室内壁
１３３    室外壁
１３４    内側縦タイト材ホルダ
１３４ａ  係合溝
１３５    熱膨張材係止溝
１３５ａ  室内側壁
１３５ｂ  室外側壁
１４  縦枠
１４１    内周壁
１４２    室内壁
１４３    室外壁
１４４    内側縦タイト材ホルダ
１４４ａ  係合溝
１４５    熱膨張材係止溝
１４５ａ  室内側壁
１４５ｂ  室外側壁
２  ドア本体
２１  上框
２２  下框
２３，２４  縦框
２３１  戸先側覆部
２５  パネル
３  丁番（枢支具）
３２，３３  羽板
５１  内側上タイト材
５１ａ  本体部
５１ｂ  舌状部
５３  内側縦タイト材
５３ａ  固定部
５３ｂ  中空部
５３ｃ  舌状部
５４  内側縦タイト材
６１  外側上タイト材
６３  外側縦タイト材
６４  外側縦タイト材
ａ  切欠部
【図１】
2015203237.tif 000003
【図２】
2015203237.tif 000004
【図３】
2015203237.tif 000005
【図４】
2015203237.tif 000006
【図５】
2015203237.tif 000007
【図６】
2015203237.tif 000008